(57)【特許請求の範囲】
【請求項１】
ガイドレール部をもつフレームと、前記ガイドレール部に沿って開閉可能となるように前記フレームに設けられたシャッタカーテンと、前記シャッタカーテンを開閉させる駆動部とを具備するシャッタ装置において、
前記シャッタカーテンの開閉方向と直交する方向に沿った断面において、
前記フレームは、
前記フレームのうち室外側の壁部分の剛性が、前記フレームのうち室内側の壁部分の剛性よりも相対的に高くなるように、前記フレームを構成する壁部分において剛性差を形成する剛性差発生構造を備え、
前記ガイドレール部は、前記シャッタカーテンが閉鎖している状態において、室外側から侵入者が前記ガイドレール内に侵入させた侵入具を前記ガイドレールの一部に当接させた当接部分を梃子支点とし、前記侵入具の梃子作用により前記フレームを変形させるとき、前記ガイドレールの当該当接部分の変形を局部的に促進させて前記侵入具の梃子作用を抑える局部変形促進部を備え、
前記局部変形促進部は前記ガイドレール部の室内側の壁部分に配設され、前記侵入具の梃子作用により前記フレームを変形させるとき、前記局部変形促進部が最初に変形することを特徴とするシャッタ装置。
【請求項２】
請求項１において、前記局部変形促進部は、前記フレームのうち当該当接部分の厚みを前記フレームの室壁側の厚みよりも薄くする構造、当該当接部分にノッチを有する構造、当該当接部分が曲成される構造のうちの少なくとも一つであることを特徴とするシャッタ装置。
【請求項３】
請求項１または請求項２において、前記シャッタカーテンは、前記フレームに開閉可能に設けられたシャッタカーテン本体と、前記シャッタカーテン本体の開閉方向に対して交差する方向の端部に連結され前記シャッタカーテン本体の開閉方向に沿って延設された可撓性をもつ線状体とで形成されており、
前記駆動部は、前記シャッタカーテンをロール状に巻き取り可能な巻取体と、前記巻取体を巻き取り方向および巻き外し方向に回転させる駆動源とを備えていることを特徴とするシャッタ装置。
【請求項４】
請求項３において、前記シャッタカーテンの前記線状体は、前記線状体の延びる方向と交差する方向に沿って前記シャッタカーテンの中央側に向けて突出する突出部を備えており、
前記突出部は、前記シャッタカーテンが前記線状体と共に前記巻取体にロール状に巻き取られるとき、前記線状体を載せて前記シャッタカーテンの巻径の変動を抑えることを特徴とするシャッタ装置。
【発明の詳細な説明】
【技術分野】
【０００１】
本発明は、シャッタカーテンを開閉可能に維持するガイドレール部を有するフレームを備えるシャッタ装置に関する。
【背景技術】
【０００２】
シャッタ装置としては、複数のスラットで形成されたシャッタカーテンと、シャッタカーテンを構成するスラットに連結された線状体と、線状体の巻き取りによりシャッタカーテンを巻き取る巻取体と、巻取体を巻き取り方向及び巻き戻し方向に回転させる駆動部とを備えているものが知られている（特許文献１）。
【特許文献１】特開２００５−８３１６３号公報
【発明の開示】
【発明が解決しようとする課題】
【０００３】
ところで、上記シャッタ装置のフレームでは、室外側の壁は１枚である。よって、フレームのうち室外側の壁部分の剛性を、フレームのうち室内側の壁部分の剛性よりも積極的に高めるように、剛性差を発生させる構造は、採用されていない。侵入者による侵入行為として、侵入者が長いバール等の侵入具をフレームのうち室内側の壁部分に挿入し、フレームをめくれ変形させようとする行為がある。このような場合、侵入者からの侵入行為によりフレームの一部がめくれると、侵入者による攻撃を直接受けてしまうおそれがある。
【０００４】
本発明は上記した実情に鑑みてなされたものであり、侵入者が侵入具をフレームのうち室内側の壁部分に挿入し、フレームをめくれ変形させようとするときにおいて、閉鎖状態のシャッタカーテンに対する保護性を高めることができ、侵入者に対する防犯性を更に高めたシャッタ装置を提供することを課題とする。
【課題を解決するための手段】
【０００５】
（１）様相１に係るシャッタ装置は、ガイドレール部をもつフレームと、ガイドレール部に沿って開閉可能となるようにフレームに設けられたシャッタカーテンと、シャッタカーテンを開閉させる駆動部とを具備するシャッタ装置において、
シャッタカーテンの開閉方向と直交する方向に沿った断面において、
フレームは、
フレームのうち室外側の壁部分の剛性が、フレームのうち室内側の壁部分の剛性よりも相対的に高くなるように、フレームを構成する壁部分において剛性差を形成する剛性差発生構造を備えていることを特徴とする。
【０００６】
本様相によれば、フレームのうち室外側の壁部分の剛性は、フレームのうち室内側の壁部分の剛性よりも相対的に高くなる設定されている。このように剛性差を形成する剛性差発生構造がフレームに設定されている。このため侵入者が侵入具をフレームのうち室内側の壁部分に挿入し、フレームをめくれ変形させようとするとき、フレームのうち室外側の壁部分のめくり変形が抑制される。この場合、侵入者の侵入具による侵入行為が抑制され、防犯性が高まる。
【０００７】
本明細書によれば、フレームのうち室外側の壁部分とは、フレームのうちシャッタカーテンよりも室外側の壁部分を意味する。フレームのうち室内側の壁部分とは、フレームのうちシャッタカーテンよりも室内側の壁部分を意味する。
【０００８】
（２）様相２に係るシャッタ装置によれば、上記した様相において、シャッタカーテンの開閉方向と直交する方向に沿った断面において、剛性差発生構造は、フレームのうち室外側の壁部分を中空箱とする中空箱強化構造を備えており、
中空箱強化構造は、フレームのうち室外側の壁部分の剛性を、フレームのうち室内側の壁部分の剛性よりも相対的に高く設定していることを特徴とする。
【０００９】
本様相によれば、フレームのうち室外側の壁部分を中空箱とする中空箱強化構造が採用されている。このため、フレームのうち室外側の壁部分の剛性が相対的に高まる。このように大きな剛性差を増加させる剛性差発生構造がフレームに設けられているため、侵入者が侵入具により、フレームのうち室外側の壁部分を室外側にめくろうとするとき、フレームのうち室外側の壁部分のめくり変形が抑制される。この場合、侵入者の侵入具による侵入行為が抑制され、防犯性が高まる。この場合は、次の（ｉ）〜（ｉｉｉ）の特徴を備えることができる。
【００１０】
（ｉ）シャッタカーテンの開閉方向と直交する方向に沿った断面において、フレームのガイドレール部は、シャッタカーテンの端側が挿入されて案内される案内空間を区画すると共にシャッタカーテンの厚み方向に沿って延設された延設壁をもつ形状とされている。
【００１１】
（ｉｉ）シャッタカーテンの開閉方向と直交する方向に沿った断面において、中空箱強化構造は、断面四角箱形状とされており、シャッタカーテンの表面に沿った方向に延設されると共に互いに対向する第１壁および第２壁と、シャッタカーテンの厚み方向に沿って延設されると共に互いに対向する第３壁および第４壁とを備えている。
【００１２】
（ｉｉｉ）第４壁は、シャッタカーテンの開閉方向と直交する方向に沿った断面において、第３壁および延設壁よりもシャッタカーテンの中心から遠ざかるように形成されている。
【００１３】
ここで、シャッタカーテンの開閉方向と直交する方向に沿った断面において、中空箱強化構造の第４壁は、ガイドレール部の延設壁と、フレームのうちシャッタカーテンから遠ざかる側の外壁との間に配置されている形態が例示される。この場合、中空箱強化構造の強化、ひいてはフレームのうち室外側の壁部分の剛性を高めるのに有利である。
【００１４】
（３）様相３に係るシャッタ装置によれば、上記した様相において、剛性差発生構造は、シャッタカーテンが閉鎖している状態において、室外側から侵入者がフレーム内に侵入させた侵入具をフレームの一部に当接させた当接部分を梃子支点とし、侵入具の梃子作用によりフレームを変形させるとき、フレームのうち当該当接部分の変形を局部的に促進させて侵入具の梃子作用を抑える局部変形促進部を備えている。
【００１５】
本様相によれば、室外側から侵入者がフレーム内に侵入させた侵入具をフレームの一部に当接させた当接部分を梃子支点とし、侵入具の梃子作用によりフレームを変形させようとするとき、局部変形促進部は、フレームのうち当該当接部分の変形を優先的に促進させ、侵入具による梃子作用を抑える。このためフレームの室外側を変形させることが抑制され、防犯性が高まる。
【００１６】
本様相によれば、局部変形促進部は、フレームのうち当該当接部分の厚みをフレームの室壁側の厚みよりも薄くする構造、当該当接部分にノッチを有する構造、当該当接部分が曲成される構造のうちの少なくとも一つである形態が例示される。この場合、フレームのうち当該当接部分の変形が優先的に促進される。このため、侵入具による梃子作用が抑えられ、防犯性が高まる。
【００１７】
（４）様相４に係るシャッタ装置によれば、上記した様相において、フレームは、閉鎖しているシャッタカーテンが侵入行為により異常変形されるとき、シャッタカーテンの一部と係合してシャッタカーテンの過剰の異常変形を抑制する凸または凹状の係合部を備えていることを特徴とする。
【００１８】
本様相によれば、シャッタカーテンが閉鎖している状態において、シャッタカーテンが侵入者の侵入行為により異常変形されるようとするとき、フレームの係合部は、異常変形するシャッタカーテンの一部と引っかかり、係合する。この結果、シャッタカーテンの過剰の異常変形が抑制され、防犯性が更に高まる。
【００１９】
（５）様相５に係るシャッタ装置によれば、上記した様相において、（ｉ）シャッタカーテンは、フレームに開閉可能に設けられたシャッタカーテン本体と、シャッタカーテン本体の開閉方向に対して交差する方向の端部に連結されシャッタカーテン本体の開閉方向に沿って延設された可撓性をもつ線状体とで形成されており、
（ｉｉ）駆動部は、シャッタカーテンをロール状に巻き取り可能な巻取体と、巻取体を巻き取り方向および巻き外し方向に回転させる駆動源とを備えていることを特徴とする。
【００２０】
本様相によれば、シャッタカーテンの線状体は、線状体の延びる方向と交差する方向に沿ってシャッタカーテンの中央側に向けて突出する突出部を備えていることができる。この場合には、シャッタカーテンが線状体と共に巻取体にロール状に巻き取られるとき、突出部は線状体を載せる。このためシャッタカーテンのうち線状体側における巻径の変動を抑えることができる。
【発明の効果】
【００２１】
本発明によれば、侵入者が侵入具を利用した侵入行為により、フレームのうち室外側の壁部分をめくり変形させようとするとき、当該めくり変形が抑制される。従って、閉鎖状態のシャッタカーテンに対する保護性を高めることができる。故に、侵入者に対する防犯性を更に高めることができる。
【発明を実施するための最良の形態】
【００２２】
発明を実施するための最良の形態について各実施例に基づいて説明する。
【実施例１】
【００２３】
以下、本発明の実施例１について図１〜図７を参照して具体的に説明する。各図は概念を示す模式図である。本実施例に係るシャッタ装置１０は、図１に示すように、横長な複数のスラット１８で形成されたシャッタカーテン本体１３ａをもつシャッタカーテン１３と、シャッタカーテン１３を巻き取るための巻取体１２と、巻取体１２を巻き取り方向及び巻き戻し方向に回転させる駆動源としてのモータ１１とを備えている。モータ１１および巻取体１２は、シャッタカーテン１３を巻き取る駆動部を構成する。
【００２４】
図１に示されるように、このモータ１１は、横軸形の巻取体１２をこれの軸芯ＰＭ回りで周方向に回転駆動するようになっている。モータ１１は、シャッタカーテン１３を巻き取り方向及び巻き戻し方向にそれぞれ回転可能とされている。従って、モータ１１により回転される巻取体１２は、シャッタカーテン１３を巻き取り方向及び巻き戻し方向に回転可能となっている。即ち、モータ１１の一方向の回転により、シャッタカーテン１３が線状体２０と共に巻取体１２に巻き取られる。モータ１１の他方向への回転により、シャッタカーテン１３が線状体２０と共に巻取体１２から巻き戻されて繰り出される。
【００２５】
シャッタカーテン１３のうち開閉方向（矢印Ｙ１，Ｙ２方向）と直交する方向（矢印Ｌ方向）における左右両側端部は、夫々、上下方向にのびるフレーム１５に沿って上下方向にガイドされるようになっている。巻取体１２はシャッタ装置１０の上部の格納ボックス１６内に設置されている。図１に示すように、シャッタカーテン１３のうち、これの開閉方向の先端（下端）を構成する着座部材１７が設けられている。シャッタカーテン１３は、着座部材１７より上側の部分を構成する複数のスラット１８で形成されたシャッタカーテン本体１３ａと、各スラット１８に連結された上下方向に沿って延設された可撓性をもつ線状体２０と、シャッタカーテン１３の下端部に設けられた着座部材１７とを備えている。
【００２６】
各スラット１８は矢印Ｌ方向（シャッタカーテン１３の開閉方向と直交すると共にスラット１８の長さに沿った方向）に沿って横長に延設されており、上下方向（シャッタカーテン１３の開閉方向）に沿って複数個並設されている。スラット１８は、スラット１８をシャッタカーテン１３として使用するシャッタ使用形態と、スラット１８をブラインドとして使用するブラインド使用形態とに切替可能とされている。
【００２７】
図２（Ａ）は、シャッタカーテン１３が閉じている状態の一部を示す。図２（Ａ）に示すように、スラット１８は、アルミニウム合金または鋼等の金属または硬質樹脂で形成されたスラット本体１８０と、スラット本体１８０の長手方向（矢印Ｌ方向）の端部１８１に図略の取付具により取り付けられた樹脂を基材とするキャップ１８４と、キャップ１８４と線状体２０とを連結することによりシャッタカーテン１３と線状体２０とを連結する連結軸部１９とを備えている。
【００２８】
図４に示すように、連結軸部１９は樹脂製のキャップ１８４に設けられており、キャップ１８４と線状体２０とを連結し、ひいてはスラット１８と線状体２０とを連結する。連結軸部１９は、スラット本体１８０に連結された金属を基材とする内軸１９１と、内軸１９１の外周部１９１ｃを覆うように内軸１９１に被着された筒形状をなす樹脂を基材とする外軸１９５とを備えている。内軸１９１は断面で円形状をなしており、インサート成形によりキャップ１８４に埋設されている。即ち、内軸１９１が配置されている成形型のキャビティに流動性をもつ樹脂材料を装填固化させることにより、キャップ１８４は外軸１９５と共に一体的に成形されている。内軸１９１は凹または凸の係合部（例えばローレット等）を有するため、内軸１９１は外軸１９５に強固に一体的に連結されている。ここで、金属を基材とする内軸１９１は連結軸部１９の芯材として機能するため、連結軸部１９の必要強度が確保される。外軸１９５は樹脂製であるため、相手部材に対してメタルタッチを抑えて異音の発生を抑制すると共に、ガイドレール部１５４等の相手材の損傷を抑制する機能をもつ。
【００２９】
図４に示すように、金属を基材とする内軸１９１の長さ方向の基端部１９１ａは、スラット本体１８０の長手方向の端部１８１に形成されている取付孔１８２に一体的に埋設されている。埋設深さは寸法ｈ（図４参照）で示される。
【００３０】
図２（Ｂ）は、シャッタカーテン１３の一部を構成する線状体２０の側面を示す。図２（Ｂ）に示すように、線状体２０は、金属を基材とする第１リンク２１と金属を基材とする第２リンク２８とを、連結具２９により直列に揺動可能に接続してチェーン状に形成されている。このような線状体２０は屈曲に伴う可撓性を有する。
【００３１】
図２（Ａ）に示すように、シャッタカーテン１３の一部を構成する線状体２０の下端部２０ｄと着座部材１７は、連結部材５で一体的に連結されている。線状体２０の第１リンク２１は、第１突出部２６を備えている。線状体の第２リンク２８は第２突出部２７を備えている。図２（Ａ）に示すように、第１突出部２６および第２突出部２７は舌片状をなしており、線状体２０の延びる方向（矢印Ｙ１，Ｙ２方向）に対して交差する方向（矢印Ｌ方向）に沿って、シャッタカーテン１３の中央１３ｃ側に向けて突出する。即ち、第１突出部２６および第２突出部２７は、スラット１８の長さ方向において突出する。
【００３２】
更に説明を加える。図５は、図３と共に、シャッタカーテン１３の開閉方向（矢印Ｙ１，Ｙ２方向）と直交する方向（矢印Ｌ方向）に沿った断面を示す。図５において、材料比を低減させつつ強度を大きくできるように設定されており、フレーム１５は、室外Ｍ２に直接的に対面する室外対面壁１５１と、室外対面壁１５１よりも室内Ｍ１側に位置する室内対面壁１５３と、室外対面壁１５１と室内対面壁１５３とを繋ぐようにシャッタカーテン１３から矢印Ｌ１方向において遠ざかる外壁１５２（フレーム１５の最外面を構成する）と、シャッタカーテン１３の厚み方向（矢印Ｔ方向）において室内対面壁１５３と室外対面壁１５１との間に配置されたガイドレール部１５４とをもつ。
【００３３】
図５に示すように、ガイドレール部１５４は、アルミニウム金属、炭素鋼、ステンレス鋼等の金属を押出成形または引抜成形することにより形成されるものであり、フレーム１５の内部に位置しており、断面コの字形状をもつ角筒形状に形成されており、シャッタ開閉方向に沿って延設されている。図５に示すように、ガイドレール部１５４は、室外と室内とを繋ぐ方向において、後述する中空箱強化構造１６４と延設壁１５３ｅとの間に配置されている。ガイドレール部１５４は、延設壁１５３ｅに対して交差部１５３ｆで連設されている。ガイドレール部１５４は、シャッタカーテン１３の端側の線状体２０等が挿入されてシャッタ開閉方向に沿って案内される案内空間１５５と、シャッタカーテン１３の厚み方向（矢印Ｔ方向、室内Ｍ１と室外Ｍ２とを繋ぐ方向）に沿って延設され且つ案内空間１５５に対面する延設壁１５７と、延設壁１５７から室外Ｍ２側に指向する第１リブ１６０（室内Ｍ１側の壁）と、第２壁１７２から室内Ｍ１側に指向するように突出された第２リブ１６１とをもつ。第１リブ１６０および第２リブ１６１は互いに対向して配置されている。第１リブ１６０は、Ｌ字形状に突出されており、侵入具１９０によるこじ開け力により矢印Ｓ１方向（座屈方向）に曲成され易くされている。
【００３４】
図５に示すように、第１リブ１６０および第２リブ１６１は、シャッタ開閉方向に沿って連続的に延設されており、スラット１８の厚み方向（矢印Ｔ方向）に沿って突出しており、且つ、シャッタカーテン１３の端部の線状体２０等を案内空間１５５に挿入するための挿入空間１５６を介して、互いに対向する。図５，図６に示すように、第１リブ１６０の先端には、凸状の係合部１６２が形成されている。係合部１６２は、第１リブ１６０の先端からシャッタカーテン１３から遠ざかる方向（矢印Ｌ１方向）において、即ち、フレーム１５の外壁１５２に向けて突出する。係合部１６２は、シャッタ開閉方向に沿って連続的に延設されている。
【００３５】
更に説明を加える。シャッタカーテン１３の開閉方向と直交する方向に沿った断面（図５）において、フレーム１５は剛性差発生構造を備えている。剛性差発生構造は、フレーム１５のうち室外Ｍ２側の壁部分の剛性と、フレーム１５のうち室内Ｍ１側の壁部分の剛性との間において差（剛性差）を発生させるものであり、フレーム１５のうち室外Ｍ２側の壁部分を、室内Ｍ１側よりも、中空箱として強化させる中空箱強化構造１６４を備えている。フレーム１５を構成する各壁の厚みは、基本的には、ほぼ均一とされている。
【００３６】
図５に示すように、中空箱強化構造１６４は、中空室１６３をもつ断面長方形（断面矩形状）の箱とされており、シャッタ開閉方向（高さ方向）に沿って連続的に延設されている。中空箱強化構造１６４は、室外側の第１壁１７１および第２壁１７２（矢印Ｌ方向に沿って延設）と、第１壁１７１および第２壁１７２に隣接する第３壁１７３および第４壁１７４（矢印Ｔ方向に沿って延設）とをもつ。第２壁１７２は第１壁１７１とほぼ平行であり、第１壁１７１よりも室内側に位置している。第３壁１７３は第４壁１７４とほぼ平行であり、第４壁１７４よりもシャッタカーテン１３側に位置している。第４壁１７４は第３壁１７３よりも外壁１５２側に位置している。ここで、図５に示すように、第１壁１７１は、フレーム１５の室外対面壁１５１の一部を構成する。第２壁１７２は第１壁１７１よりも室内Ｍ１側に位置しており、ガイドレール部１５４の一部を形成している。
【００３７】
中空箱強化構造１６４の中空室１６３は、シャッタカーテン１３の開閉方向（高さ方向）に沿って連続的に延設されている。矢印Ｌ方向において、中空室１６３の中空距離はＷ１として示される（図５参照）。矢印Ｔ方向において、中空室１６３の中空幅はＤ１として示される（Ｄ１＜Ｗ１）。
【００３８】
図５に示すように、第１壁１７１および第２壁１７２は、シャッタ開閉方向（高さ方向）に沿って連続的に延設されており、中空箱構造１６４の長辺を構成しており、シャッタカーテン１３の表面に沿った方向（矢印Ｌ方向，シャッタカーテン１３の開閉方向と直交する方向）に沿って延設されると共に、互いに対向する。第３壁１７３および第４壁１７４は中空箱構造１６４の短辺を構成しており、シャッタカーテン１３の厚み方向（矢印Ｔ方向）に沿って延設されていると共に、互いに対向する。ここで、図５に示すように、中空箱強化構造１６４の第４壁１７４は、シャッタカーテン１３の表面に沿った方向（矢印Ｌ方向）において、第３壁１７３および延設壁１５７よりもシャッタカーテン１３の中心から遠ざかる方向（矢印Ｌ１方向）にフレーム１５の外壁１５２に向けて形成されている。第４壁１７４は交差部１５１ｅにより第１壁１７１に連設されている。図５に示すように、第４壁１７４と室外対面壁１５１とが交差する交差部１５１ｅは、矢印Ｌ方向において、外壁１５２よりも長さＷＡ相当ぶん、シャッタカーテン１３側に寄せられている。延設壁１５７、延設壁１５３ｅは、中空箱強化構造１６４の第２壁１７２に対して交差部１７２ｅで連設されており、中空箱強化構造１６４の曲げ変形に対して抵抗体となり得る。矢印Ｌ方向において、延設壁１５７および交差部１７２ｅは、矢印Ｌ方向において、中空箱強化構造１６４の第４壁１７４よりもシャッタカーテン１３側に寄せられており、第２壁１７２の曲げ変形に対して抵抗体となり得る。図５に示すように、矢印Ｌ方向において、交差部１７２ｅと第３壁１７３との間の距離は、交差部１７２ｅと第４壁１７４との間の距離よりも大きく設定されている。
【００３９】
図５（シャッタカーテン１３の開閉方向と直交する方向に沿った断面）に示すようにて、中空箱強化構造１６４の第４壁１７４は、矢印Ｌ方向において、ガイドレール部１５４の延設壁１５７と、フレーム１５のうちシャッタカーテン１３から遠ざかる側に配置されている外壁１５２との間に配置されている。この場合、フレーム１５の室外Ｍ３側の壁部分の剛性を高めるのに有利である。矢印Ｌ方向において、延設壁１５７（交差部１７２ｅ）は、第３壁１７３と第４壁１７４との間に位置している。なお図５に示すように、矢印Ｌ方向において、リブ１７２ｘから外壁１５２に向かうにつれて、第３壁１７３、延設壁１５３ｅ（交差部１５３ｆ）、延設壁１５７（交差部１７２ｅ）、第４壁１７４（交差部１５１ｅ）、外壁１５２の順に配置されている。
【００４０】
図５に示すように、第２壁１７２の内側導出壁１７２ｒには、リブ１７２ｘが室内Ｍ１側向けて形成されている。リブ１７２ｘは、シャッタ開閉方向（高さ方向）に沿って連続的に延設されている。リブ１７２ｘは、矢印Ｌ方向において第１リブ１６０よりもシャッタカーテン１３の中央１３ｃ側に位置している。このためリブ１７２ｘにより侵入具１９０はフレーム１５内に侵入しにくくされている。
【００４１】
以上説明したように本実施例によれば、フレーム１５のうち室外Ｍ２側の壁部分の剛性は、フレーム１５のうち室内Ｍ１側の壁部分の剛性よりも、相対的に高くなるように設定されている。このように剛性差を形成する剛性差発生構造がフレーム１５に設けられている。換言すると、フレーム１５のうち室外Ｍ２側の壁部分を中空箱とする中空箱強化構造１６４が採用されている。このため、フレーム１５のうち室外Ｍ２側の壁部分の剛性が高まる。この結果、図５に示すように、侵入者が長いバール等の侵入具１９０をフレーム１５のうち室内Ｍ１側の壁部分に挿入し、侵入具１９０によりフレーム１５のうち室外Ｍ２側の壁部分を強制的にこじ開けて変形させてようとするとき、フレーム１５のうち室外Ｍ２側の壁部分は、めくれ変形しにくくなる。この結果、フレーム１５のうち室外Ｍ２側の壁部分のめくれ変形が抑制される。これにより、侵入者の侵入具１９０による侵入行為が抑制され、防犯性が高まる。
【００４２】
殊に本実施例によれば、図５に示すように、フレーム１５のうち、侵入具１９０による梃子作用の支点となり得る第１リブ１６０（当接部分）の変形を優先的に促進させる。このためフレーム１５のうち室外Ｍ２側の壁部分のめくれ変形が進行する前に、第１リブ１６０が優先的に座屈または曲成される。この結果、前記した侵入具１９０を梃子として用いることが抑えられる。よって、フレーム１５のうち室外Ｍ２側の壁部分を侵入具１９０で強制的にこじ開ける力を、低下させることができる。
【００４３】
即ち、本実施例によれば、室外Ｍ２側から侵入者がフレーム１５内に侵入させた侵入具１９０を当接させた第１リブ１６０（当接部分）を梃子支点とし、侵入具１９０をフレーム１５の室外対面壁をめくる方向（矢印ａ方向）に回動させる梃子作用により、フレーム１５のめくれ変形を進行させる前に、侵入具１９０により第１リブ１６０は優先的に座屈されたり、曲成されたりする。
【００４４】
この結果、侵入具１９０による梃子作用を発生させる梃子支点の機能が低下したり、無くなる。従って、侵入具１９０の梃子作用による侵入行為を効果的に抑えることができる。このためフレーム１５に形成されている中空箱強化構造１６４の室外対面壁１５１を室外Ｍ２側を変形させることが一層抑制される。故に侵入行為に対する防犯性が高まる。
【００４５】
また、閉鎖しているシャッタカーテン１３のスラット１８を侵入者が強制的に室外Ｍ２に向けて引き出し方向（矢印Ｋ２方向）に引き出そうと、侵入行為を行うことがある。この場合には、図５から理解できるように、シャッタカーテン１３の一部である線状体２０に設けられている第２突出部２７が、第１リブ１６０の係合部１６２に引っかかり易くなる。第１リブ１６０が変形していたとしても、変形の程度にもよるが、シャッタカーテン１３の一部である第２突出部２７が第１リブ１６０の係合部１６２に引っかかり易くなる。この結果、シャッタカーテン１３の室外Ｍ２への過剰な引き出しは、抑えられる。故に、防犯性が更に高くなる。
【００４６】
本実施例によれば、図５に示すように、中空箱強化構造１６４の第４壁１７４は、シャッタカーテン１３の表面に沿った方向（矢印Ｌ方向）において、延設壁１５７よりもシャッタカーテン１３の中心から遠ざかる方向（矢印Ｌ１方向）に外壁１５２に向けて形成されている。
【００４７】
仮に第４壁１７４が延設壁１５７と矢印Ｌ方向において同一位置にあると、侵入行為により第４壁１７４と室内対面壁１５１との交差部が折れ易くなる。この場合、中空箱強化構造１６４全体が開いてしまい、スラット１８が掻き出されてしまうおそれがある。また、第４壁１７４と外壁１５２とを同一位置とするように距離Ｗ１を延ばすと、中空箱強化構造１６４が座屈し易くなるおそれがある。また距離Ｄ１が小さくなると、中空箱強化構造１６４の剛性が弱くなり、侵入行為により中空箱強化構造１６４が開いてしまうおそれがある。かくして、図５に示すような位置に第４壁１７４を位置させることにより、中空箱強化構造１６４の剛性を高めることができる。
【００４８】
ところで、図７は、シャッタカーテン１３が巻取体１２にロール状に巻き取られている状態を示す。図７に示すように、シャッタカーテン１３が巻取体１２にロール状に巻き取られるとき、シャッタカーテン１３の線状体２０に設けられている第１突出部２６および第２突出部２７は、ロール状に巻き取られる線状体２０を載せ、線状体２０同士の積層を良好にできる。これによりシャッタカーテン１３の両端側（線状体２０側）の巻径が異常に小さくなることが抑えられる。
【００４９】
ここで図７に示すように、第１突出部２６は線状体２０の外周側に位置しており、第２突出部２７は線状体２０の内周側に位置しており、ロール状に巻き取られた線状体２０同士の積層を良好に確保することができる。仮に、第１突出部２６および第２突出部２７が線状体２０に設けられていないときには、シャッタカーテン１３が巻取体１２にロール状に巻き取られるとき、ロール状に巻き取られた線状体２０同士が横ずれすると、線状体２０同士が良好に積層されず、シャッタカーテン１３の端側（線状体２０）の巻径が過剰に小さくなってしまうおそれがある。この場合、シャッタカーテン１３の巻径が不均一となったり、線状体２０の落下音が発生したりするおそれがあり、好ましくない。
【００５０】
更に本実施例によれば、図３に示すように、フレーム１５の中空箱強化構造１６４の中空室１６３内には、必要に応じて補強部材１７８を挿入することも可能となる。補強部材１７８は、フレーム１５と別体をなしており、高い剛性をもつ金属（例えば焼入鋼等の合金鋼）、セラミックス、硬質樹脂（例えばエンジニアプラスチック）等で形成されており、第１壁１７１や第２壁に沿って板状をなしており、固定具１７９により中空箱強化構造１６４に収容または固定されている。防犯性を高めるためには、補強部材１７８の材質は、フレーム１５の材質よりも高剛性のものを採用することが好ましい。これによりフレーム１５の室外側の剛性（強度）即ち、中空箱強化構造１６４の剛性（曲げ剛性，強度）が一層高められている。これにより中空箱強化構造１６４の室内対面壁１５３は更にめくりにくくされている。場合によっては、中空室１６３内に補強部材１７８を挿入せずとも良い。補強部材１７８の幅ＤＥ（図３参照）は、中空室１６３の中空距離Ｗ１に対して４０〜９９％、６０〜９９％に設定されている。なお、図３においては、中空箱強化構造１６４の左右の中空室１６３のうち図示左方の中空室１６３のみ補強部材１７８が挿入されて構造が図示されているが、図示右方の中空室１６３に挿入されている補強部材１７８は図略されている。なお、補強部材１７８を中空室１６３に固定せずに配置するだけでも良い。
【実施例２】
【００５１】
図８（Ａ）（Ｂ）は実施例２を示す。本実施例は実施例１と基本的には同様の構成および作用効果を有する。図８（Ｂ）に示すように、第１リブ１６０の先端には係合部１６２が複数個設けられている。本実施例においても、閉鎖されているシャッタカーテン１３のスラットを強制的に室外Ｍ２に向けて引き出し方向（矢印Ｋ２方向）に侵入者が引きだそうとするとき、シャッタカーテン１３の一部である線状体２０の第２突出部２７が第１リブ１６０の係合部１６２に引っかかり易くなる。この結果、シャッタカーテン１３の矢印Ｋ２方向（引き出し方向）への過剰な引き出しは抑えられ、防犯性が高くなる。
【００５２】
更に図８（Ａ）に示すように、第２リブ１６１の先端にも、凸状の係合部１６２ｃが外壁１５２に向けて突出している。シャッタカーテン１３の一部である線状体２０の第１突出部２６が第１リブ１６０の係合部１６２ｃに引っかかり易くなり、シャッタカーテン１３の過剰な引き出しは抑えられ、防犯性が更に高くなる。
【実施例３】
【００５３】
図９は実施例３を示す。本実施例は実施例１と基本的には同様の構成および作用効果を有する。本実施例においては、第１リブ１６０の厚みｔａは、局部変形促進部として、ガイドレール部１５４の平均厚みｔｃよりも薄くされている。よって侵入具１９０による第１リブ１６０の座屈、曲成は促進されている。従って、前記した侵入具１９０による侵入行為があったとき、第１リブ１６０は変形し易くなっている。このため第１リブ１６０は梃子支点として働きにくくなる。よって侵入具１９０を回動方向に回動させることは抑制される。このため防犯性が一層高まる。
【実施例４】
【００５４】
図１０は実施例４を示す。本実施例は実施例１と基本的には同様の構成および作用効果を有する。本実施例においても、第１リブ１６０の基端側には、ノッチ１６８が形成されている。このため前記した侵入具１９０による侵入行為があったとき、ノッチ１６８（局部変形促進部）により第１リブ１６０は座屈または曲成され易くなっている。このため第１リブ１６０を梃子支点として、侵入具１９０を回動方向に回動させることは抑制される。このため防犯性が一層高まる。
【実施例５】
【００５５】
図１１は実施例５を示す。本実施例は実施例１と基本的には同様の構成および作用効果を有する。本実施例においても、第１リブ１６０に形成されている係合部１６２の突出量（α）は増加している。αは、第１リブ１６０の厚みｔａの２倍以上とされており、当該厚みの１０倍以下とすることができる。このためシャッタカーテン１３の一部である線状体２０の第２突出部２７が第１リブ１６０の係合部１６２に引っかかり易くなる。この結果、シャッタカーテン１３の過剰な引き出しは抑えられ、防犯性が高くなる。更に、係合部１６２は、閉鎖状態のシャッタカーテン１３に対する侵入具１９０の侵入角度θ１を小さくでき、侵入行為を抑えやすい。更に図１１に示すように、侵入具１９０の先端部１９０ａが当接する膨出突部１５８がガイドレール部１５４に案内空間１５５に対面するように形成されている。この場合、閉鎖状態のシャッタカーテン１３に対する侵入具１９０の侵入角度θ１を小さくするのに有利であり、侵入行為を抑えやすい。
【実施例６】
【００５６】
図１２は実施例６を示す。本実施例は実施例１と基本的には同様の構成および作用効果を有する。本実施例においては、図１２に示すように、第２壁１７２は、中空箱強化構造１６４Ｂを構成すると共に、ガイドレール部１５４の一部を構成する。第２壁１７２はフレーム１５の外壁１５２まで延設されており、結合部１５９ｃで外壁１５２に結合されている。強化のために、第４壁１７４は矢印Ｌ方向において延設壁１５７と外壁１５２との間に配置されている。中空箱強化構造１６４Ｂは、第１中空室１６３および第２中空室１６３ｓを形成する。第１中空室１６３の中空距離はＷ１として示され、第２中空室１６３ｓの中空距離はＷ１ｓ（Ｗ１ｓ＜Ｗ１）として示される（図１２参照）。このような中空箱強化構造１６４Ｂにより、フレーム１５の室外Ｍ２側の剛性は更に高くされている。
【００５７】
本実施例においても、フレーム１５のうち室外Ｍ２側の壁部分の剛性が、フレーム１５のうち室内Ｍ１側の壁部分の剛性よりも相対的に更に高くなるように、剛性差を形成する剛性差発生構造が実現されている。このため、侵入者がバール等の侵入具１９０をフレーム１５のうち室内Ｍ１側の壁部分に挿入し、当該箇所を梃子支点として侵入具１９０によりフレーム１５を変形させようとするとき、フレーム１５のうち室外Ｍ２側の壁部分は変形しにくくなる。このため、侵入者の侵入具１９０による侵入行為が抑制され、防犯性が高まる。なお、前記した補強部材１７８を第１中空室１６３および第２中空室１６３ｓの双方または一方に挿入することにしても良い。
【実施例７】
【００５８】
図１３は実施例７を示す。本実施例は実施例１と基本的には同様の構成および作用効果を有する。本実施例においては、図１３に示すように、第２壁１７２は、中空箱強化構造１６４Ｃを構成すると共にガイドレール部１５４の一部を構成する。第２壁１７２は、外壁１５２まで延設されて結合部１５９ｃで外壁１５２に結合されている。よって中空箱強化構造１６４Ｃは第１中空室１６３ｎおよび第２中空室１６３ｍを形成する。第１中空室１６３の中空距離はＷ１ｎ（Ｗ１ｎ＜Ｗ１）として示される。第２中空室１６３ｍの中空距離はＷ１ｍとして示される（図１３参照）。またスラット１８の長さ方向を示す矢印Ｌ方向（シャッタカーテン１３の開閉方向と直交する方向）において、第４壁１７４は、ガイドレール部１５４の延設壁１５７と同じ位相に設定されている。つまり、第４壁１７４はガイドレール部１５４の延設壁１５７の延長方向に沿って延設されており、延設壁１５７に直接的に連設されている。なお、前記した補強部材１７８を第１中空室１６３ｎおよび第２中空室１６３ｍの双方または一方に挿入することにしても良い。
【実施例８】
【００５９】
図１４は実施例８を示す。本実施例は実施例１と基本的には同様の構成および作用効果を有する。本実施例においては、図１４に示すように、第２壁１７２は、中空箱強化構造１６４を構成すると共にガイドレール部１５４の一部を構成する。第２壁１７２は、外壁１５２まで延設されて結合部１５９ｃで外壁１５２に結合されている。第４壁１７４は形成されていない。換言すると、スラットの長さ方向を示す矢印Ｌ方向（シャッタカーテン１３の開閉方向と直交する方向）において、第４壁１７４は、フレーム１５の外壁１５２と一体化されている。よって中空箱強化構造１６４Ｄは、第１壁１７１からの空洞距離が長くされた中空室１６３Ｄを形成する。矢印Ｌ方向において、中空箱強化構造１６４Ｄの中空距離はＷ８（Ｗ８＞Ｗ１）として示される。なお、前記した補強部材１７８を中空室１６３Ｄに挿入することにしても良い。
【実施例９】
【００６０】
図１５は実施例９を示す。本実施例は実施例１と基本的には同様の構成および作用効果を有する。本実施例においては、図１５に示すように、スラット１８の長さ方向を示す矢印Ｌ方向（シャッタカーテン１３の開閉方向と直交する方向）において、第４壁１７４は、ガイドレール部１５４の延設壁１５７と同じ位相とされている。よって第４壁１７４は、ガイドレール部１５４の延設壁１５７に直接的に連設されている。中空箱強化構造１６４Ｅの中空室１６３Ｅの中空距離はＷ９（Ｗ９＜Ｗ１）として示される。なお、図１５に示すように、第４壁１７４と外壁１５２との間の壁部分）の長さＷＡ２（図１５参照）の長さは、実施例１に係る長さＷＡよりも増加している。
【００６１】
（その他）
上記した実施例１によれば、スラット１８はブラインド式とされているが、ブラインド式でなくても良い。第１リブ１６０に設けられている係合部１６２は凸状とされているが、凹状としても良く、要するに線状体２０側と引っかかれば良い。本発明は上記し且つ図面に示した実施例のみに限定されるものではなく、要旨を逸脱しない範囲内で適宜変更して実施可能である。ある実施例に採用されている特有の構造および機能は、他の実施例に対しても適用できることは勿論である。従って角実施例のみの特徴構造を併有していても良い。上記した記載から次の技術的思想も把握できる。
【００６２】
［付記項１］ガイドレール部をもつフレームと、前記ガイドレール部に沿って開閉可能となるように前記フレームに設けられたシャッタカーテンと、前記シャッタカーテンを開閉させる駆動部とを具備するシャッタ装置において、前記シャッタカーテンの開閉方向と直交する方向に沿った断面において、前記フレームのうち室外側の壁部分を中空箱とする中空箱強化構造を備えていることを特徴とするシャッタ装置。
【００６３】
［付記項２］付記項１において、（ｉ）前記シャッタカーテンの開閉方向と直交する方向に沿った断面において、前記フレームの前記ガイドレール部は、シャッタカーテンの端側が挿入されて案内される案内空間を区画すると共にシャッタカーテンの厚み方向に沿って延設された延設壁をもつ形状とされており、且つ、
（ｉｉ）前記シャッタカーテンの開閉方向と直交する方向に沿った断面において、前記中空箱強化構造は断面四角箱形状とされており、シャッタカーテンの表面に沿った方向に延設されると共に互いに対向する第１壁および第２壁と、シャッタカーテンの厚み方向に沿って延設されると共に互いに対向する第３壁および第４壁とを備えており、（ｉｉｉ）前記第４壁は、前記シャッタカーテンの表面に沿った方向において、前記第３壁および前記延設壁よりもシャッタカーテンの中心から遠ざかるように形成されていることを特徴とするシャッタ装置。
【００６４】
［付記項３］付記項２において、前記シャッタカーテンの開閉方向と直交する方向に沿った断面において、前記中空箱強化構造の第４壁は、前記ガイドレール部の延設壁と、前記フレームのうち前記シャッタカーテンから遠ざかる側の外壁との間に配置されていることを特徴とするシャッタ装置。
【００６５】
［付記項４］ガイドレール部をもつフレームと、前記ガイドレール部に沿って開閉可能となるように前記フレームに設けられたシャッタカーテンと、前記シャッタカーテンを開閉させる駆動部とを具備するシャッタ装置において、前記シャッタカーテンの開閉方向と直交する方向に沿った断面において、前記シャッタカーテンが閉鎖している状態において、室外側から侵入者がフレーム内に侵入させた侵入具をフレームの一部に当接させた当接部分を梃子支点とし、侵入者が侵入具の梃子作用により前記フレームを変形させるとき、前記フレームのうち当該当接部分の変形を促進させて梃子作用を抑える局部変形促進部を備えていることを特徴とするシャッタ装置。この場合、局部変形促進部としては、フレームのうち当該当接部分の厚みをフレームの室壁側の厚みよりも薄くする構造、当該当接部分にノッチを有する構造、当該当接部分が曲成される構造のうちの少なくとも一つが例示される。
【００６６】
［付記項５］ガイドレール部をもつフレームと、前記ガイドレール部に沿って開閉可能となるように前記フレームに設けられたシャッタカーテンと、前記シャッタカーテンを開閉させる駆動部とを具備するシャッタ装置において、前記フレームは、閉鎖している前記シャッタカーテンが侵入行為により異常変形されるとき、前記シャッタカーテンの一部と係合して前記シャッタカーテンの過剰の異常変形を抑制する凸または凹状の係合部を備えていることを特徴とするシャッタ装置。
【００６７】
［付記項６］付記項１〜５において、前記シャッタカーテンは、前記フレームに開閉可能に設けられたシャッタカーテン本体と、前記シャッタカーテン本体の開閉方向に対して交差する方向の端部に連結され前記シャッタカーテン本体の開閉方向に沿って延設された可撓性をもつ線状体とで形成されており、前記駆動部は、前記シャッタカーテンをロール状に巻き取り可能な巻取体と、前記巻取体を巻き取り方向および巻き外し方向に回転させる駆動源とを備えていることを特徴とするシャッタ装置。
【００６８】
［付記項７］付記項６において、前記シャッタカーテンの前記線状体は、前記線状体の延びる方向と交差する方向に沿って前記シャッタカーテンの中央側に向けて突出する突出部を備えており、前記突出部は、前記シャッタカーテンが前記巻取体にロール状に巻き取られるとき、前記線状体を載せて前記シャッタカーテンの巻径の変動を抑えることを特徴とするシャッタ装置。シャッタカーテンのうち線状体側の巻径の変動が抑制され、シャッタカーテンを巻取体に良好に巻き付けることができる。
【図面の簡単な説明】
【００６９】
【図１】実施例１に係り、シャッタ装置の正面図である。
【図２】実施例１に係り、（Ａ）はシャッタカーテンが閉じている状態の要部を示す正面図であり、（Ｂ）はシャッタカーテンが閉じている状態における線状体の要部を示す側面図である。
【図３】実施例１に係り、シャッタカーテンが閉じている状態においてシャッタ装置の断面図である。
【図４】実施例１に係り、スラットと線状体とが連結されている状態を示す図である。
【図５】実施例１に係り、ガイドレール部をもつフレームの要部の断面図である。
【図６】実施例１に係り、係合部を備える第１リブの断面図である。
【図７】実施例１に係り、シャッタカーテンが巻取体にロール状に巻き取れている状態を示す図である。
【図８】実施例２に係り、（Ａ）はガイドレール部をもつフレームの要部の断面図であり、（Ｂ）は係合部を備える第１リブの断面図である。
【図９】実施例３に係り、係合部を備える第１リブの断面図である。
【図１０】実施例４に係り、係合部を備える第１リブの断面図である。
【図１１】実施例５に係り、係合部を備える第１リブの断面図である。
【図１２】実施例６に係り、ガイドレール部をもつフレームの要部の断面図である。
【図１３】実施例７に係り、ガイドレール部をもつフレームの要部の断面図である。
【図１４】実施例８に係り、ガイドレール部をもつフレームの要部の断面図である。
【図１５】実施例９に係り、ガイドレール部をもつフレームの要部の断面図である。
【符号の説明】
【００７０】
１０はシャッタ装置、１３はシャッタカーテン、１３ａはシャッタカーテン本体、１２は巻取体、１５はフレーム、１５１は室外対面壁、１５２は外壁、１５３は室内対面壁、１５４はガイドレール部、１５５は案内空間、１５７は延設壁、１６０は第１リブ、１６１は第２リブ、１６２は係合部、１６３は中空室、１６４は中空箱強化構造、１７１は第１壁、１７２は第２壁、１７３は第３壁、１７４は第４壁、Ｍ１は室内、Ｍ２は室外を示す。
【図１】
0005392524.tif 000002
【図２】
0005392524.tif 000003
【図３】
0005392524.tif 000004
【図４】
0005392524.tif 000005
【図５】
0005392524.tif 000006
【図６】
0005392524.tif 000007
【図７】
0005392524.tif 000008
【図８】
0005392524.tif 000009
【図９】
0005392524.tif 000010
【図１０】
0005392524.tif 000011
【図１１】
0005392524.tif 000012
【図１２】
0005392524.tif 000013
【図１３】
0005392524.tif 000014
【図１４】
0005392524.tif 000015
【図１５】
0005392524.tif 000016